(57)【特許請求の範囲】
【請求項１】
バーナと、
給水路及び給湯路に接続されて前記バーナの燃焼排ガスにより加熱され、内部を流通する湯水を前記バーナの燃焼排ガスとの熱交換により加熱する熱交換器と、
出湯栓が接続された前記給湯路の下流端と前記給水路とを接続した連通路と、
前記給湯路と前記連通路との接続部から、前記連通路と前記給水路と前記熱交換器と前記給湯路とを経由して、該接続部に戻る循環回路内の湯水を循環させる循環ポンプと、
前記給湯路から前記出湯栓に供給される湯水の温度を検出する給湯温度センサと、
前記熱交換器の出口付近の湯水の温度を検出する熱交出口温度センサと、
前記出湯栓の開閉を検知する出湯栓開閉検知部と、
前記出湯栓が開栓状態であるときに、前記給湯温度センサの検出温度が所定の目標給湯温度となるように、前記バーナの燃焼量を制御する給湯運転を実行する給湯制御部と、
前記出湯栓が閉栓状態であるときに、前記循環ポンプを作動させて前記循環回路内の湯水を循環させると共に、前記給湯温度センサの検出温度が所定の適温範囲内となるように前記バーナの燃焼量を制御する適温維持運転を実行する適温維持制御部と、
前記適温維持運転が所定時間以上継続し、且つ、前記バーナが燃焼状態であるときに、前記適温維持制御部による前記適温維持運転の実行を禁止して、前記循環ポンプを停止すると共に前記バーナを消火し、該循環ポンプの停止後の前記熱交出口温度センサの検出温度の上昇度合が所定の第１異常判別レベル以上となったときに、前記熱交換器が異常状態であると判別する第１異常判別処理を実行する熱交異常判別部と
を備え、
前記バーナは、前記バーナの燃焼範囲を区画すると共に燃焼と消火の個別切替えが可能な複数のバーナブロックを有し、
前記給湯制御部は、燃焼させる前記バーナブロックの選択を変更することによって前記バーナの燃焼量を制御し、
前記熱交異常判別部は、前記第１異常判別処理において、前記循環ポンプを停止する直前に燃焼状態であった前記バーナブロックの選択状態に応じて、前記第１異常判別レベルを変更することを特徴とする循環型給湯装置。
【請求項２】
バーナと、
給水路及び給湯路に接続されて前記バーナの燃焼排ガスにより加熱され、内部を流通する湯水を前記バーナの燃焼排ガスとの熱交換により加熱する熱交換器と、
出湯栓が接続された前記給湯路の下流端と前記給水路とを接続した連通路と、
前記給湯路と前記連通路との接続部から、前記連通路と前記給水路と前記熱交換器と前記給湯路とを経由して、該接続部に戻る循環回路内の湯水を循環させる循環ポンプと、
前記給湯路から前記出湯栓に供給される湯水の温度を検出する給湯温度センサと、
前記熱交換器の出口付近の湯水の温度を検出する熱交出口温度センサと、
前記出湯栓の開閉を検知する出湯栓開閉検知部と、
前記出湯栓が開栓状態であるときに、前記給湯温度センサの検出温度が所定の目標給湯温度となるように、前記バーナの燃焼量を制御する給湯運転を実行する給湯制御部と、
前記出湯栓が閉栓状態であるときに、前記循環ポンプを作動させて前記循環回路内の湯水を循環させると共に、前記給湯温度センサの検出温度が所定の適温範囲内となるように前記バーナの燃焼量を制御する適温維持運転を実行する適温維持制御部と、
前記適温維持運転が所定時間以上継続し、且つ、前記バーナが燃焼状態であるときに、前記適温維持制御部による前記適温維持運転の実行を禁止して、前記循環ポンプを停止すると共に前記バーナを消火し、該循環ポンプの停止後の前記熱交出口温度センサの検出温度の上昇度合が所定の第１異常判別レベル以上となったときに、前記熱交換器が異常状態であると判別する第１異常判別処理を実行する熱交異常判別部と
を備え、
前記バーナは、前記バーナの燃焼範囲を区画すると共に燃焼と消火の個別切替えが可能な複数のバーナブロックを有し、
前記給湯制御部は、燃焼させる前記バーナブロックの選択を変更することによって前記バーナの燃焼量を制御し、
前記熱交異常判別部は、前記給湯運転が終了した時に、前記適温維持制御部による前記適温維持運転の実行を禁止して、前記循環ポンプを停止状態に維持すると共に前記バーナを消火状態に維持し、該給湯運転が終了した後の前記熱交出口温度センサの検出温度の上昇度合が、該給湯運転が終了する直前に燃焼状態であった前記バーナブロックの選択状態に応じて決定した第２異常判別レベル以上となったときに、前記熱交換器が異常状態であると判別する第２異常判別処理を実行することを特徴とする循環型給湯装置。
【請求項３】
バーナと、
給水路及び給湯路に接続されて前記バーナの燃焼排ガスにより加熱され、内部を流通する湯水を前記バーナの燃焼排ガスとの熱交換により加熱する熱交換器と、
出湯栓が接続された前記給湯路の下流端と前記給水路とを接続した連通路と、
前記給湯路と前記連通路との接続部から、前記連通路と前記給水路と前記熱交換器と前記給湯路とを経由して、該接続部に戻る循環回路内の湯水を循環させる循環ポンプと、
前記給湯路から前記出湯栓に供給される湯水の温度を検出する給湯温度センサと、
前記熱交換器の出口付近の湯水の温度を検出する熱交出口温度センサと、
前記出湯栓の開閉を検知する出湯栓開閉検知部と、
前記出湯栓が開栓状態であるときに、前記給湯温度センサの検出温度が所定の目標給湯温度となるように、前記バーナの燃焼量を制御する給湯運転を実行する給湯制御部と、
前記出湯栓が閉栓状態であるときに、前記循環ポンプを作動させて前記循環回路内の湯水を循環させると共に、前記給湯温度センサの検出温度が所定の適温範囲内となるように前記バーナの燃焼量を制御する適温維持運転を実行する適温維持制御部と、
前記適温維持運転が所定時間以上継続し、且つ、前記バーナが燃焼状態であるときに、前記適温維持制御部による前記適温維持運転の実行を禁止して、前記循環ポンプを停止すると共に前記バーナを消火し、該循環ポンプの停止後の前記熱交出口温度センサの検出温度の上昇度合が所定の第１異常判別レベル以上となったときに、前記熱交換器が異常状態であると判別する第１異常判別処理を実行する熱交異常判別部と
を備え、
前記熱交異常判別部は、前記第１異常判別処理の実行中に、前記出湯栓が閉栓状態から開栓状態に切換わったときには、前記第１異常判別処理を中止して前記給湯制御部による前記給湯運転の実行を可能とすることを特徴とする循環型給湯装置。
【請求項４】
請求項１又は請求項２に記載の循環型給湯装置において、
前記熱交異常判別部は、前記第１異常判別処理の実行中に、前記出湯栓が閉栓状態から開栓状態に切換わったときには、前記第１異常判別処理を中止して前記給湯制御部による前記給湯運転の実行を可能とすることを特徴とする循環型給湯装置。
【発明の詳細な説明】
【技術分野】
【０００１】
本発明は、給湯停止時に給湯経路内の湯水を熱交換器を介して循環させることにより、給湯経路内の湯水を適温に維持する機能を有する循環型給湯装置に関する。
【背景技術】
【０００２】
従来より、給水路に供給される水をバーナにより加熱される熱交換器により加熱して、給湯路に出湯する給湯装置において、給湯路の下流端付近と給水路を連通する連通路と、給水路及び給湯路と連通路とに形成される循環回路内の湯水を熱交換器を経由して循環させる循環ポンプとを備えた循環型給湯装置が知られている（例えば、特許文献１参照）。
【０００３】
特許文献１に記載された循環型給湯装置においては、循環ポンプを常時作動させている。そして、給湯停止中もバーナを適宜燃焼させて熱交換器を流通する湯水を加熱することにより、循環回路内の湯水を適温に維持し、出湯栓が開栓されたときに直ちに適温の湯が出湯されるようにしている。
【０００４】
ここで、水道水の硬度が高い地域では、熱交換器の吸熱管内で水に含まれるＣａＣＯ３やＭｇＣＯ３による、吸熱管内面への析出物（スケール）が付着し易くなる。そして、このように析出物が付着すると、熱交換器の熱交換効率が悪化して熱交換器の温度が上昇し、この温度上昇に起因して熱交換器の劣化が生じ得る。
【０００５】
そこで、特許文献１に記載された循環型給湯装置においては、出湯栓が閉栓されていてバーナが燃焼中であるときに、流量調節弁を閉弁して循環回路内の湯水の循環を停止し（この停止によりバーナが消火する）、閉弁時点からの熱交換器の出口付近の湯水の温度の上昇幅が所定の閾値以上になったときに、析出物の付着により熱交換器が異常状態になっていると判別している。
【先行技術文献】
【特許文献】
【０００６】
【特許文献１】特開２００７−２６３４０３号公報
【発明の概要】
【発明が解決しようとする課題】
【０００７】
上記特許文献に記載された循環型給湯装置においては、循環ポンプを常時駆動している。そのため、流量調節弁により循環回路内の湯水の循環を停止したときにも、循環ポンプは作動を継続している。そして、この場合には、循環ポンプが空回りしてしまうため、循環ポンプの負荷が過大となって循環ポンプが過熱し、循環ポンプが劣化してしまうという不都合がある。
【０００８】
本発明はかかる背景に鑑みてなされたものであり、循環ポンプの過熱を防止して、析出物の付着により熱交換器が異常状態になっていることを判別することができる循環型給湯装置を提供することを目的とする。
【課題を解決するための手段】
【０００９】
本発明は上記目的を達成するためになされたものであり、
バーナと、
給水路及び給湯路に接続されて前記バーナの燃焼排ガスにより加熱され、内部を流通する湯水を前記バーナの燃焼排ガスとの熱交換により加熱する熱交換器と、
出湯栓が接続された前記給湯路の下流端と前記給水路とを接続した連通路と、
前記給湯路と前記連通路との接続部から、前記連通路と前記給水路と前記熱交換器と前記給湯路とを経由して、該接続部に戻る循環回路内の湯水を循環させる循環ポンプと、
前記給湯路から前記出湯栓に供給される湯水の温度を検出する給湯温度センサと、
前記熱交換器の出口付近の湯水の温度を検出する熱交出口温度センサと、
前記出湯栓の開閉を検知する出湯栓開閉検知部と、
前記出湯栓が開栓状態であるときに、前記給湯温度センサの検出温度が所定の目標給湯温度となるように、前記バーナの燃焼量を制御する給湯運転を実行する給湯制御部と、
前記出湯栓が閉栓状態であるときに、前記循環ポンプを作動させて前記循環回路内の湯水を循環させると共に、前記給湯温度センサの検出温度が所定の適温範囲内となるように前記バーナの燃焼量を制御する適温維持運転を実行する適温維持制御部と、
前記適温維持運転が所定時間以上継続し、且つ、前記バーナが燃焼状態であるときに、前記適温維持制御部による前記適温維持運転の実行を禁止して、前記循環ポンプを停止すると共に前記バーナを消火し、該循環ポンプの停止後の前記熱交出口温度センサの検出温度の上昇度合が所定の第１異常判別レベル以上となったときに、前記熱交換器が異常状態であると判別する第１異常判別処理を実行する熱交異常判別部とを備える。
【００１０】
本発明の上記構成によれば、前記熱交異常判別部は、前記第１異常判別処理を実行して前記熱交換器の異常状態を判別するときに、前記循環ポンプを停止することによって前記循環回路内の温水の流通を停止する。そのため、前記循環ポンプを作動状態に維持して開閉弁の閉弁により前記循環回路内の湯水の流通を停止する場合のように、過負荷により前記循環ポンプが劣化することを防止することができる。
【００１４】
そして、上記構成において、
前記バーナは、前記バーナの燃焼範囲を区画すると共に燃焼と消火の個別切替えが可能な複数のバーナブロックを有し、
前記給湯制御部は、燃焼させる前記バーナブロックの選択を変更することによって前記バーナの燃焼量を制御し、
前記熱交異常判別部は、前記第１異常判別処理において、前記循環ポンプを停止する直前に燃焼状態であった前記バーナブロックの選択状態に応じて、前記第１異常判別レベルを変更することを特徴とする（第１発明）。
【００１５】
第１発明においては、燃焼させる前記バーナブロックの選択によって、前記熱交換器が前記バーナの燃焼排ガスにより加熱される範囲が相違する。そのため、前記熱交異常判別部が前記循環ポンプを停止して前記バーナを消火した後の前記熱交出口温度センサの検出温度の上昇度合は、前記循環ポンプを停止する直前に燃焼状態であった前記バーナブロックの選択状態に応じて変化する。
【００１６】
そのため、前記熱交異常判別部により、前記循環ポンプを停止する直前に燃焼状態であった前記バーナブロックの組合せに応じて前記第１異常判別レベルを変更することによって、前記熱交換器の異常判別をより精度良く行なうことができる。
【００１７】
また、上記構成において、
前記バーナは、前記バーナの燃焼範囲を区画すると共に燃焼と消火の個別切替えが可能な複数のバーナブロックを有し、
前記給湯制御部は、燃焼させる前記バーナブロックの選択を変更することによって前記バーナの燃焼量を制御し、
前記熱交異常判別部は、前記給湯運転が終了した時に、前記適温維持制御部による前記適温維持運転の実行を禁止して、前記循環ポンプを停止状態に維持すると共に前記バーナを消火状態に維持し、該給湯運転が終了した後の前記熱交出口温度センサの検出温度の上昇度合が、該給湯運転が終了する直前に燃焼状態であった前記バーナブロックの選択状態に応じて決定した第２異常判別レベル以上となったときに、前記熱交換器が異常状態であると判別する第２異常判別処理を実行することを特徴とする（第２発明）。
【００１８】
第２発明によれば、前記給湯運転が終了した時においても前記第２異常判別処理を実行して、前記熱交換器の異常状態を判別するが、前記給湯運転中に燃焼させる前記バーナブロックの選択によって、前記熱交換器が前記バーナの燃焼排ガスによって加熱される範囲が相違する。そのため、前記給湯運転が終了した後の前記熱交出口温度センサの検出温度の上昇度合は、前記給湯運転が終了する直前に燃焼状態であった前記バーナブロックの選択状態に応じて変化する。
【００１９】
そのため、前記第２異常判別処理における前記第２異常判別レベルを、前記給湯運転が終了する直前に燃焼状態であった前記バーナブロックの選択状態に応じて決定することによって、前記熱交換器が異常状態であることをより精度良く判別することができる。
【００２０】
また、上記構成において、
前記熱交異常判別部は、前記第１異常判別処理の実行中に、前記出湯栓が閉栓状態から開栓状態に切換わったときには、前記第１異常判別処理を中止して前記給湯制御部による前記給湯運転の実行を可能とすることを特徴とする（第３発明）。
さらに、第１発明又は第２発明において、前記熱交異常判別部は、前記第１異常判別処理の実行中に、前記出湯栓が閉栓状態から開栓状態に切換わったときには、前記第１異常判別処理を中止して前記給湯制御部による前記給湯運転の実行を可能とすることを特徴とする（第４発明）。
【００２１】
第３発明及び第４発明によれば、前記第１異常判別処理の実行中に、使用者が前記出湯栓を開栓したときに、前記第１異常判別処理の継続により前記給湯運転の実行が妨げられて、前記出湯栓から湯が供給されない状態となることを防止することができる。
【図面の簡単な説明】
【００２２】
【図１】循環型給湯装置の構成図。
【図２】燃焼させるバーナブロックの選択によるバーナの燃焼量の変更範囲と、異常判別閾値の説明図。
【図３】第１異常判別処理のフローチャート。
【図４】第２異常判別処理のフローチャート。
【発明を実施するための形態】
【００２３】
本発明の実施形態について、図１〜図４を参照して説明する。
【００２４】
図１を参照して、本実施形態の循環型給湯装置１は、バーナ３とバーナ３の上方に配置された熱交換器４とを収容した缶体２、熱交換器４の入口（上流側の接続口）に接続された給水路５、熱交換器４の出口（下流側の接続口）に接続された給湯路６、バーナ３に燃料ガスを供給するガス供給路８、バーナ３に燃焼用空気を供給する燃焼ファン１４、給湯路６の出湯栓７が接続された下流端Ｘ１，Ｘ２と給水路５を連通する連通路４０、給湯路６と連通路４０との接続部から連通路４０と給水路５と熱交換器４と給湯路６を経由してこの接続部に至る循環回路５０内の湯水を循環させる循環ポンプ２５、循環型給湯装置１の全体的な作動を制御するコントローラ２３、及び、循環型給湯装置１を遠隔操作するためのリモコン２４を備えている。
【００２５】
熱交換器４は、多数の吸熱フィン４ａと吸熱フィン４ａを貫通した吸熱管４ｂとを有している。そして、上水道（図示しない）から給水路５に供給される水が熱交換器４においてバーナ３の燃焼排ガスとの熱交換により加熱されて給湯路６に送出され、出湯栓７から出湯される。
【００２６】
バーナ３は、１０本の単位バーナ３０を有する大バーナブロック３ａと、５本の単位バーナ３０を有する小バーナブロック３ｂとにより燃焼範囲が区画され、各バーナブロック３ａ，３ｂの燃焼と消火を個別切替えが可能に構成されている。具体的には、大能力（大バーナブロック３ａ：燃焼、小バーナブロック３ｂ：燃焼）、中能力（大バーナブロック３ａ：燃焼、小バーナブロック３ｂ：消火）、小能力（大バーナブロック３ａ：消火、小バーナブロック３ｂ：燃焼）、という３段階にバーナ３の燃焼範囲が切替えられる。
【００２７】
ガス供給路８には、上流側からガス元弁９とガス比例弁１０が設けられている。また、ガス供給路８から分岐した大バーナ分岐路３１には大バーナ切替弁３２が設けられ、ガス供給路８から分岐した小バーナ分岐路３３には小バーナ切替弁３４が設けられている。バーナ３の燃焼量は、大バーナ切替弁３２及び小バーナ切替弁３４の開閉切替えとガス比例弁１０の開度調節により制御される。
【００２８】
バーナ３の燃焼排ガスは、熱交換器４での熱交換が行われた後に、缶体２の上端部から排気筒１２を経由して屋外に排出される。排気筒１２は給気筒１３で囲われており、給気筒１３は、燃焼ファン１４の吸気口に連通した吸込みダクト１５に接続されている。燃焼ファン１４の作動により、外気が、給気筒１３と吸込みダクト１５と燃焼ファン１４とを介して缶体２内に燃焼用空気として供給される。
【００２９】
給水路５と給湯路６は、熱交換器４をバイパスするバイパス路１６により接続されている。給水路５のバイパス路１６との接続箇所の上流側には、給水路５を流通する湯水の流量を検出する流量センサ１７と、給水路５の開度を変更する流量調節弁１８とが設けられている。また、給水路５のバイパス路１６との接続箇所の下流側には、熱交換器４に供給される水の温度を検出する給水温度センサ１９が設けられている。
【００３０】
給湯路６のバイパス路１６との接続箇所の上流側には、熱交換器４の出口付近の湯水の温度を検出する熱交出口温度センサ２０が設けられている。また、給湯路６のバイパス路１６との接続箇所の下流側には、給湯路６から出湯栓７に供給される湯水の温度を検出する給湯温度センサ２１が設けられている。
【００３１】
バイパス路１６には、バイパス路１６の開度を変更して、熱交換器４側に流れる湯水の流量に対するバイパス路１６側に流れる湯水の流量の割合（バイパス比）を調節するためのバイパス流量調節弁２２が設けられている。
【００３２】
コントローラ２３は、図示しないＣＰＵ，メモリ等により構成された電子回路ユニットであり、コントローラ２３には、流量センサ１７、給水温度センサ１９、熱交出口温度センサ２０、及び、給湯温度センサ２１の各検出信号が入力される。また、コントローラ２３から出力される制御信号によって、ガス元弁９、ガス比例弁１０、大バーナ切替弁３２、小バーナ切替弁３４、燃焼ファン１４、流量調節弁１８、バイパス流量調節弁２２、及び、循環ポンプ２５の作動が制御される。さらに、コントローラ２３には、循環型給湯装置１を遠隔操作するためのリモコン２４が接続されている。
【００３３】
コントローラ２３は、メモリに保持された循環型給湯装置１の制御用プログラムをＣＰＵで実行することによって、給湯制御部６０、適温維持制御部６１、熱交異常判別部６２、及び、出湯栓開閉検知部６３として機能する。
【００３４】
給湯制御部６０は、出湯栓７が開栓状態となって上水道から給水路５への給水により、流量センサ１７の検出流量が最低動作流量以上になったときにバーナ３に点火し、給湯温度センサ２１の検出温度Ｔsがリモコン２４により設定された目標給湯温度と一致するように、燃焼ファン１４、ガス比例弁１０、大バーナ切替弁３２、及び、小バーナ切替弁３４の作動を制御して、バーナ３の燃焼量を調節すると共に、バイパス流量調節弁２２の開度を調節する給湯運転を実行する。
【００３５】
また、バーナ３の燃焼量を最大にしても、給湯温度センサ２１の検出温度Ｔsが目標給湯温度に達しないときには、給湯制御部６０は、流量調節弁１８により給水路５の通水流量を減少させる。給湯制御部６０は、給湯運転の実行中は循環ポンプ２５を停止状態に維持し、これにより、循環ポンプ２５の消費電力を低減している。
【００３６】
適温維持制御部６１は、出湯栓７が閉栓状態であって上水道から給水路５への給水が停止しているときに、循環ポンプ２５を作動させて循環回路５０内の湯水を循環させると共に、バーナ３により熱交換器４を加熱する適温維持運転を実行する。
【００３７】
適温維持運転において、適温維持制御部６１は、給湯温度センサ２１の検出温度が目標給湯温度Ｔcmに応じて設定された適温範囲内となるように、バーナ３を燃焼させて循環回路５０内を循環する湯水を加熱する。適温維持運転の実行により循環回路５０内の湯水の温度が目標給湯温度付近に維持されて、使用者が出湯栓７を開栓したときに出湯栓７から直ちに適温の湯が出湯されるため、出湯栓７の開栓時に冷えた水が流れ出て使用者に不快感を与えることを回避することができる。
【００３８】
なお、適温維持運転における適温範囲を、リモコン２４により設定された目標給湯温度に応じて設定せずに、使用者が冷たさを感じない程度の固定値としてもよい。
【００３９】
熱交異常判別部６２は、熱交換器４が吸熱管４ｂの内面に析出物が付着した異常状態になっていることを判別する。判別の処理の詳細については後述する。
【００４０】
出湯栓開閉検知部６３は、出湯栓７の開閉状態を検知する。ここで、出湯栓７が閉栓状態であれば、適温維持制御部６１により適温維持運転が実行されて、循環回路５０内の湯水の温度が目標給湯温度Ｔcm付近に維持されるため、給水温度センサ１９の検出温度Ｔinは所定温度ＹＴin（目標給湯温度Ｔcmよりも若干低い温度に設定される）以上となる。そこで、出湯栓開閉検知部６３は、給水温度センサ１９の検出温度Ｔinが所定温度ＹＴin以上であるときに、出湯栓７が閉栓状態にあると検知する。
【００４１】
一方、出湯栓７が開栓状態であれば、上水道から給水路５に水が供給されるため、給水温度センサ１９の検出温度Ｔinは上水道からの水の温度となって、ＹＴinよりも低くなる。そのため、出湯栓開閉検知部６３は、給水温度センサ１９の検出温度ＴinがＹＴinよりも低いときに、出湯栓７が開栓状態であると検知する。
【００４２】
［第１異常判別処理］
次に、図２に示したフローチャートに従って、適温維持制御部６１による適温維持運転と、熱交異常判別部６２による熱交換器４の異常状態を判別するための第１異常判別処理の実行手順について説明する。
【００４３】
ＳＴＥＰ１〜ＳＴＥＰ３及びＳＴＥＰ２０は、適温維持制御部６１による処理である。適温維持制御部６１は、ＳＴＥＰ１で出湯栓７からの出湯が停止しているか否かを判断する。適温維持制御部６１は、既に適温維持運転が開始されているときは、出湯栓開閉検知部６３により出湯栓７の閉栓が検知されているときに出湯が停止していると判断する。また、未だ適温維持運転が開始されていないときは、流量センサ１７の検出流量が所定の最低作動流量未満であるときに、出湯が停止していると判断する。
【００４４】
そして、出湯栓７からの出湯が停止しているときはＳＴＥＰ２に進み、リモコン２４により適温維持要求の設定がなされているか否かを判断する。一方、出湯栓７からの出湯が停止していないときにはＳＴＥＰ２０に分岐し、適温維持制御部６１は、適温維持運転を停止してＳＴＥＰ１に戻る。
【００４５】
ＳＴＥＰ２で、適温維持制御部６１は、リモコン２４により適温維持要求の設定がなされているか否かを判断する。そして、適温維持要求の設定がなされているときにはＳＴＥＰ３に進んで、適温維持制御部６１は適温維持運転を実行する。適温維持運転において、適温維持制御部６１は、上述したように、循環ポンプ２５を作動させて循環回路５０内の湯水を循環させると共に、給湯温度センサ２１の検出温度Ｔsが適温範囲内とになるように、バーナ３の燃焼量を制御する。一方、適温維持要求の設定がなされていないときにはＳＴＥＰ２０に分岐する。
【００４６】
続くＳＴＥＰ４〜ＳＴＥＰ１２及びＳＴＥＰ３０は、熱交異常判別部６２による処理である。熱交異常判別部６２は、ＳＴＥＰ４で、適温維持運転が１時間（本発明の所定時間に相当する）以上継続し、且つ、バーナ３が燃焼状態である、という条件が成立しているか否かを判断する。そして、この条件が成立しているときはＳＴＥＰ５に進み、この条件が成立していないときにはＳＴＥＰ１に戻る。
【００４７】
ＳＴＥＰ５で、熱交異常判別部６２は、適温維持制御部６１による適温維持運転を禁止して、循環ポンプ２５の作動を停止すると共にバーナ３を消火する。続くＳＴＥＰ６で、熱交異常判別部６２は、リモコン２４の表示部（図示しない）に、熱交換器４の異常状態の判別を行っていることを示す「チェック表示」を行う。
【００４８】
次のＳＴＥＰ７で、熱交異常判別部６２は、ＳＴＥＰ５で循環ポンプ２５を停止する直前におけるバーナ３の能力段階（大能力、中能力、小能力）に応じた温度上昇閾値ＹΔＴout（本発明の第１異常判別レベルに相当する）を、メモリから読み出す。
【００４９】
ここで、図３（ａ）は、縦軸を燃焼ファン１４の回転速度に設定し、横軸をバーナ３の熱量に設定して、各能力段階でのバーナ３の熱量の変更範囲を、大能力をＬ、中能力をＭ、小能力をＳで示したものである。
【００５０】
小能力Ｓは、ｓ1（最小熱量）〜ｓ3（最大熱量）の範囲をカバーし、中間熱量がｓ2である。図２（ａ）では、ｓ1〜ｓ2の範囲をＡで示し、ｓ2〜ｓ3の範囲をＢで示している。中能力Ｍは、ｍ1（最小熱量）〜ｍ3（最大熱量）の範囲をカバーし、中間熱量がｍ2である。図２（ａ）では、ｍ1〜ｍ2の範囲をＣで示し、ｍ2〜ｍ3の範囲をＤで示している。大能力Ｌは、ｌ1（最小熱量）〜ｌ3（最大熱量）の範囲をカバーし、中間熱量がｌ2である。図２（ａ）では、ｌ1〜ｌ2の範囲をＥで示し、ｌ2〜ｌ3の範囲をＦで示している。
【００５１】
このように、バーナ３の能力を、燃焼させるバーナブロック（大バーナブロック３ａ，小バーナブロック３ｂ）の選択によって切替える場合、各能力毎にバーナ３の燃焼範囲が異なって、バーナ３の燃焼排ガスにより加熱される熱交換器４の範囲が変化する。そのため、バーナ３の燃焼を停止した後の熱交出口温度センサ２０の検出温度の上昇幅は、小能力→中能力→大能力と燃焼範囲が広くなるに従って大きくなる傾向があるが、この傾向は各能力毎に異なるため、一つの直線で表すことはできない。
【００５２】
そこで、本実施形態では、図３（ｂ）に示したように、温度上昇閾値ＹΔＴoutを、各能力段階毎に設定する。すなわち、小能力のＡ（ｓ1〜ｓ2）の範囲（熱量小側）では７℃、Ｂ（ｓ2〜ｓ3）の範囲（熱量大側）では９℃に設定する。また、中能力のＣ（ｍ1〜ｍ2）の範囲（熱量小側）では１２℃、Ｄ（ｍ2〜ｍ3）の範囲（熱量大側）では１４℃に設定する。また、大能力のＥ（ｌ1〜ｌ2）の範囲（熱量小側）では１８℃、Ｆ（ｌ2〜ｌ3）の範囲（熱量大側）では２０℃に設定する。
【００５３】
コントローラ２３のメモリには、図３（ｂ）の設定を以下の表１に示したようにマップ化したデータが、保持されている。
【００５４】
【表１】
0005822787.tif 000002
【００５５】
熱交異常判別部６２は、ＳＴＥＰ５で循環ポンプ２５を停止する直前のバーナ３の能力段階（小能力／中能力／大能力）と各能力段階での熱量が属する範囲（小側／大側）を、表１のテーブルに適用して、使用する温度上昇閾値ＹΔＴoutを読み出す。
【００５６】
そして、熱交異常判別部６２は、ＳＴＥＰ８でチェックタイマ（例えば、１〜２分にタイマ時間が設定される）をスタートさせ、続くＳＴＥＰ９〜ＳＴＥＰ１１のループにより、ＳＴＥＰ９で測定した熱交出口温度センサ２０の検出温度Ｔoutの上昇幅ΔＴoutが、ＳＴＥＰ１１でチェックタイマがタイムアップする前に、ＳＴＥＰ１０で温度上昇閾値ＹΔＴout以上となるか否かを判断する。
【００５７】
そして、ＳＴＥＰ１０で、熱交出口温度センサ２０の検出温度Ｔoutの上昇幅ΔＴoutが温度上昇閾値ＹΔＴout以上となったときは、熱交換器４の吸熱管４ｂの内側への析出物の付着により熱交換器４の熱交換効率が低下して、通水停止後の後沸きによる熱交出口温度センサ２０の検出温度Ｔoutの上昇幅ΔＴoutが大きくなったと判断することができる。
【００５８】
そこで、この場合にはＳＴＥＰ３０に分岐し、熱交異常判別部６２は、リモコン２４の表示部に熱交換器４の異常を示す表示（例えば、エラーコードの表示等）を行って、熱交換器４が異常状態であることを報知する。
【００５９】
一方、ＳＴＥＰ１１でチェックタイマがタイムアップしたときには、通水停止後の後沸きによる熱交出口温度センサ２０の検出温度Ｔoutの上昇幅ΔＴoutが小さく、熱交換器４の吸熱管４ｂの内側への析出物の付着が異常レベルにはないと判断することができる。
【００６０】
そのため、この場合はＳＴＥＰ１２に進み、熱交異常判別部６２は、チェック表示を終了する。そしてＳＴＥＰ１３に進み、熱交異常判別部６２は、第１異常判別処理を終了する。
【００６１】
［第２異常判別処理］
次に、図４に示したフローチャートに従って、熱交異常判別部６２による熱交換器４の異常状態を判別するための第２異常判別処理の実行手順について説明する。
【００６２】
熱交異常判別部６２は、ＳＴＥＰ５０で給湯制御部６０により給湯運転が開始されるのを待ってＳＴＥＰ５１に進む。そして、ＳＴＥＰ５１で給湯制御部６０による給湯運転の実行が終了するのを待ってＳＴＥＰ５２に進む。
【００６３】
ＳＴＥＰ５２で、熱交異常判別部６２は、適温維持制御部６１による適温維持運転を禁止して、循環ポンプ２５を停止状態に維持すると共にバーナ３を消火状態に維持する。続くＳＴＥＰ５３で、熱交異常判別部６２は、リモコン２４の表示部に、熱交換器４の異常状態の判別を行っていることを示す「チェック表示」を行う。
【００６４】
次にＳＴＥＰ５４で、熱交異常判別部６２は、ＳＴＥＰ５１で給湯運転が終了する直前のバーナ３の能力段階（小能力／中能力／大能力）と各能力段階での熱量が属する範囲（小側／大側）を、上記表１のテーブルに適用して、使用する温度上昇閾値ＹΔＴout（本発明の第２異常判別レベルに相当する）を読み出す。
【００６５】
なお、本実施形態では、第１熱交異常判別処理で使用する温度上昇閾値ＹΔＴoutと、第２熱交異常判別処理で使用する温度上昇閾値ＹΔＴoutを、上記表１のテーブルにより同じ条件により決定したが、異なる条件により設定するようにしてもよい。
【００６６】
続くＳＴＥＰ５５で、熱交異常判別部６２は、チェックタイマ（例えば、１〜２分がタイマ時間に設定される）をスタートさせ、続くＳＴＥＰ５６〜ＳＴＥＰ５８のループにより、ＳＴＥＰ５６で測定した熱交出口温度センサ２０の検出温度Ｔoutの上昇幅ΔＴoutが、ＳＴＥＰ５８でチェックタイマがタイムアップする前に、ＳＴＥＰ５７で温度上昇閾値ＹΔＴout以上となるか否かを判断する。
【００６７】
そして、ＳＴＥＰ５７で、熱交出口温度センサ２０の検出温度Ｔoutの上昇幅ΔＴoutが温度上昇閾値ＹΔＴout以上となったときは、熱交換器４の吸熱管４ｂの内側への析出部の付着により熱交換器４の熱交換効率が低下して、通水停止後の後沸きによる熱交出口温度センサ２０の検出温度上昇幅ΔＴoutが大きくなったと判断することができる。
【００６８】
そこで、この場合にはＳＴＥＰ７０に分岐し、熱交異常判別部６２は、上述した図２のＳＴＥＰ３０と同様に、リモコン２４の表示部に熱交換器４の異常を示す表示を行って、熱交換器４が異常状態であることを報知する。
【００６９】
一方、ＳＴＥＰ５８でチェックタイマがタイムアップしたときには、通水停止後の後沸きによる熱交出口温度センサ２０の検出温度Ｔoutの上昇幅ΔＴoutが小さく、熱交換器４の吸熱管４ｂの内側への析出物の付着が異常レベルにはないと判断することができる。
【００７０】
そのため、この場合はＳＴＥＰ５９に進み、熱交異常判別部６２は、チェック表示を終了する。そして、ＳＴＥＰ６０に進み、熱交異常判別部６２は、第２異常判別処理を終了する。
【００７１】
なお、本実施形態では、熱交出口温度センサの検出温度の上昇度合として、検出温度の上昇幅を用いたが、検出温度の上昇割合を用いてもよい。
【００７２】
また、本実施形態において、熱交異常判別部６２は、第１異常判別処理と第２異常判別処理を実行して熱交換器４が異常状態であることを判別したが、少なくとも第１異常判別処理を実行して熱交換器４が異常状態であることを判別することにより、本発明の効果を得ることができる。
【００７３】
また、本実施形態においては、熱交異常判別部６２は、複数のバーナブロック３ａ，３ｂからなるバーナ３を示して、バーナ３の能力段階に応じて温度上昇閾値ＹΔＴoutを変更したが、かかる変更を行わない場合であっても本発明の効果を得ることができる。
【００７４】
また、本実施形態においては、複数のバーナブロック３ａ、３ｂからなり、燃焼させるバーナブロックを選択することによって燃焼量を変更するバーナ３を示したが、バーナブロックの選択による燃焼量の変更を行わないバーナを用いてもよい。この場合に、燃焼停止直前のバーナの燃焼量に応じて、第１異常判定処理で用いる温度上昇閾値ＹΔＴoutを変更してもよい（例えば、燃焼停止直前のバーナの燃焼量が多いほど、温度上昇閾値ＹΔoutを高く設定する）。
【００７５】
また、熱交異常判別部６２による第１異常判別処理が実行されているときに、出湯栓７が閉栓状態から開栓状態に切換わったときは、第１異常判別処理を中止して、給湯制御部６０による給湯運転の実行が可能となるようにしてもよい。
【符号の説明】
【００７６】
１…循環型給湯装置、３…バーナ、３ａ…大バーナブロック、３ｂ…小バーナブロック、４…熱交換器、５…給水路、６…給湯路、１９…給水温度センサ、２０…熱交出口温度センサ、２１…給湯温度センサ、２３…コントローラ、２５…循環ポンプ、４０…連通路、５０…循環回路、６０…給湯制御部、６１…適温維持制御部、６２…熱交異常判別部、６３…出湯栓開閉検知部。
【図１】
0005822787.tif 000003
【図２】
0005822787.tif 000004
【図３】
0005822787.tif 000005
【図４】
0005822787.tif 000006